【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
ｉＳＣＳＩ環境のためのサービスの質（ＱｏＳ）を与えるように適合したイニシエータであって、
ＱｏＳポリシーに従って１つ以上のＰＤＵ（プロトコル・データ・ユニット）をシェーピングするためのＱｏＳシェーパを含むｉＳＣＳＩイニシエータと、
前記ｉＳＣＳＩイニシエータから前記ＰＤＵを受け取るための、前記ＱｏＳポリシーに従って前記ＰＤＵをマーキングするためのＱｏＳマーカを含むＴＣＰレイヤと、
を含む、イニシエータ。
【請求項２】
前記ＱｏＳポリシーが、ネットワーク・リソースのためのポリシーおよびＩ／Ｏリソースのためのポリシーのうち１つ以上を含む、請求項１に記載のイニシエータ。
【請求項３】
前記ＰＤＵがコマンドＰＤＵであり、前記コマンドＰＤＵがコマンド・シーケンス番号を受け取る前に前記シェーパが前記コマンドＰＤＵをシェーピングする、請求項１に記載のイニシエータ。
【請求項４】
前記ＰＤＵがデータＰＤＵおよびコマンドＰＤＵであり、前記ＴＣＰレイヤに受け取られる前に前記データＰＤＵおよびコマンドＰＤＵがシェーピングされる、請求項１に記載のイニシエータ。
【請求項５】
ｉＳＣＳＩ以外のアプリケーションのネットワーク・トラヒックをシェーピングする前記ＴＣＰレイヤ内の第２のシェーパを更に含む、請求項１に記載のイニシエータ。
【請求項６】
ｉＳＣＳＩ環境のためのサービスの質を与えるように適合したターゲットであって、
ｉＳＣＳＩターゲットにおける第１のＱｏＳコンポーネントであって、Ｉ／Ｏリソースを処理し、ＱｏＳポリシーに従って１つ以上の読み取りコマンドおよび１つ以上の書き込みコマンドをシェーピングすることによって、不従順イニシエータからのトラヒックにＱｏＳを与えるための、第１のＱｏＳコンポーネントと、
ネットワーク・リソースを処理するためのＴＣＰレイヤにおける第２のＱｏＳコンポーネントと、
を含み、ｉＳＣＳＩ  ＰＤＵが、ｉＳＣＳＩのＱｏＳポリシーに従ってシェーピングおよびマーキングされる、ターゲット。
【請求項７】
前記ターゲットが複数の論理ユニット（ＬＵ）に対するアクセスを提供し、各前記ＬＵが多数のタスク・セットを有し、各前記タスク・セットが関連するサービス・クラスを有し、前記関連するサービス・クラスの２つ以上が同じである、請求項６に記載のターゲット。
【請求項８】
前記関連するサービス・クラスの２つ以上が互いに異なる、請求項７に記載のターゲット。
【請求項９】
ｉＳＣＳＩ環境のためのサービスの質（ＱｏＳ）を与えるように適合したシステムであって、
１つ以上のイニシエータであって、各前記イニシエータが、
ＱｏＳポリシーを用いて１つ以上のＰＤＵをシェーピングするためのイニシエータＱｏＳシェーパを含むｉＳＣＳＩイニシエータと、
前記ｉＳＣＳＩイニシエータから前記ＰＤＵを受け取るための、前記ＱｏＳポリシーを用いて前記ＰＤＵをマーキングするためのＱｏＳマーカを含むＴＣＰレイヤと、
を含む、イニシエータと、
ＩＰネットワークを介して前記イニシエータから前記ＰＤＵを受信するための１つ以上のターゲットであって、各前記ターゲットが、
Ｉ／Ｏリソースを処理するためのｉＳＣＳＩターゲットにおける第１のＱｏＳコンポーネントであって、ＱｏＳポリシーを用いて前記ＰＤＵから抽出した１つ以上の読み取りコマンドおよび１つ以上の書き込みコマンドをシェーピングするための第１のＱｏＳコンポーネントと、
ネットワーク・リソースを処理するためのＴＣＰレイヤにおける第２のＱｏＳコンポーネントと、
を含む、ターゲットと、
を含み、ｉＳＣＳＩ  ＰＤＵが、ｉＳＣＳＩのためのＱｏＳポリシーを用いてシェーピングおよびマーキングされる、システム。
【請求項１０】
前記イニシエータＱｏＳシェーパが用いる前記ＱｏＳポリシーが、前記ターゲットにおいて前記第１および第２のＱｏＳコンポーネントが用いる前記ＱｏＳポリシーとは異なる、請求項９に記載のシステム。
【請求項１１】
前記イニシエータおよびターゲットと通信を行うサービス・レベル契約（ＳＬＡ）エージェントであって、前記イニシエータおよび前記ターゲットに前記ＱｏＳポリシーを提供するＳＬＡエージェントを更に含む、請求項９に記載のシステム。
【請求項１２】
前記イニシエータおよび前記ターゲットが、ｉＳＣＳＩセッションごとに多数のサービス・クラスのための多数の別個の接続をサポートする、請求項９に記載のシステム。
【請求項１３】
ｉＳＣＳＩ環境のために構成したＱｏＳシステムであって、
複数のフィルタ仕様属性を含み、前記フィルタ仕様属性の１つ以上がｉＳＣＳＩトラヒック・タイプを反映するように構成されている、ＱｏＳシステム。
【請求項１４】
前記フィルタ仕様属性が、ＴＣＰ４タプル、ｉＳＣＳＩセッションｉｄ、ＬＵＮ（論理ユニット番号）、イニシエータ・ユーザｉｄ、およびアプリケーション識別属性のうち１つ以上を含む、請求項１３に記載のＱｏＳシステム。
【請求項１５】
前記フィルタ仕様属性が、ネットワーク・リソースおよびＩ／ＯリソースにＱｏＳを与えるように適合している、請求項１３に記載のＱｏＳシステム。
【請求項１６】
前記フィルタ仕様属性が、１つ以上のイニシエータおよび１つ以上のターゲットによって用いられ、前記イニシエータによって用いられる前記フィルタ仕様属性が、前記ターゲットによって用いられる前記フィルタ仕様属性とは異なる、請求項１３に記載のＱｏＳシステム。
【請求項１７】
ｉＳＣＳＩ環境に適合したＱｏＳシステムであって、
複数のフロウ仕様パラメータを含み、前記フロウ仕様パラメータの１つ以上がｉＳＣＳＩトラヒック・タイプのために構成されている、ＱｏＳシステム。
【請求項１８】
前記フロウ仕様パラメータが、Ｉ／Ｏレート、バイト・レート、およびＩ／Ｏフロー過剰の１つ以上を含む、請求項１７に記載のＱｏＳシステム。
【請求項１９】
前記フロウ仕様パラメータが、ネットワーク・リソースおよびＩ／ＯリソースにＱｏＳを与えるように適合している、請求項１７に記載のＱｏＳシステム。
【請求項２０】
前記フロウ仕様パラメータが、１つ以上のイニシエータおよび１つ以上のターゲットによって用いられ、前記イニシエータによって用いられる前記フロウ仕様パラメータが、前記ターゲットによって用いられる前記フロウ仕様パラメータとは異なる、請求項１７に記載のＱｏＳシステム。
【請求項２１】
ｉＳＣＳＩ環境に適合したＱｏＳシステムであって、
ＱｏＳポリシーに従って１つ以上のＰＤＵをシェーピングするための、ｉＳＣＳＩイニシエータにおけるシェーパと、
前記ｉＳＣＳＩイニシエータから前記ＰＤＵを受け取り、前記ＱｏＳポリシーに従って前記ＰＤＵをマーキングするための、イニシエータにおけるＴＣＰレイヤにおけるマーカと、
前記ＰＤＵから抽出した１つ以上のコマンドを受信し、ＱｏＳポリシーに従って前記コマンドをシェーピングするための、ｉＳＣＳＩターゲットにおける第１のターゲットＱｏＳコンポーネントと、
を含む、ＱｏＳシステム。
【請求項２２】
前記第１のターゲットＱｏＳコンポーネントがＩ／Ｏリソースを処理し、ネットワーク・リソースを処理するためのＴＣＰレイヤにおける第２のターゲットＱｏＳコンポーネントを更に含み、ｉＳＣＳＩ  ＰＤＵがｉＳＣＳＩのためのＱｏＳポリシーに従ってシェーピングおよびマーキングされる、請求項２１に記載のＱｏＳシステム。
【請求項２３】
ｉＳＣＳＩ環境のためにＱｏＳを与えるための方法であって、
ＱｏＳポリシーに従ってｉＳＣＳＩイニシエータにおいて１つ以上のＰＤＵをシェーピングするステップと、
前記ＱｏＳポリシーに従って前記シェーピングしたＰＤＵをイニシエータにおけるＴＣＰレイヤにおいてマーキングするステップと、
を含む、方法。
【請求項２４】
前記ＰＤＵがコマンドＰＤＵであり、前記コマンドＰＤＵの前記シェーピングが、Ｉ／ＯリソースのためのＱｏＳポリシーに従っている、請求項２３に記載の方法。
【請求項２５】
前記コマンドＰＤＵが即値データを含む書き込みコマンドＰＤＵであり、前記書き込みコマンドＰＤＵの前記シェーピングもネットワーク・リソースのためのＱｏＳポリシーに従う、請求項２４に記載の方法。
【請求項２６】
前記ＰＤＵがデータＰＤＵであり、前記データＰＤＵの前記シェーピングがネットワーク・リソースのためのＱｏＳポリシーに従う、請求項２３に記載の方法。
【請求項２７】
ＩＰネットワークを介して、ターゲットにおいて前記ＰＤＵを受信するステップと、
ｉＳＣＳＩターゲットにおいて、Ｉ／ＯリソースのためのＱｏＳポリシーに従って、前記ＰＤＵから抽出した１つ以上の読み取りコマンドおよび１つ以上の書き込みコマンドをシェーピングし、これによって不従順トラヒックにＱｏＳを与えるステップと、
を更に含む、請求項２３に記載の方法。
【請求項２８】
ｉＳＣＳＩ環境のためにＱｏＳを与えるための方法であって、
ｉＳＣＳＩターゲットにおいて１つ以上のＬＵからデータを受信するステップと、
ｉＳＣＳＩのためのＱｏＳポリシーに従って、ＱｏＳコンポーネントにおいて前記データをシェーピングおよびマーキングするステップと、
を含み、前記ＱｏＳポリシーがネットワーク・リソースのためのポリシーである、方法。
【請求項２９】
ｉＳＣＳＩ環境においてサービスの質を与えるためのシステムであって、
ＱｏＳポリシーに従ってｉＳＣＳＩイニシエータにおいて１つ以上のＰＤＵをシェーピングするための手段と、
前記ＱｏＳポリシーに従ってイニシエータにおけるＴＣＰレイヤにおいて前記シェーピングしたＰＤＵをマーキングするための手段と、
を含む、システム。
【請求項３０】
コンピュータに、
ＱｏＳポリシーに従ってｉＳＣＳＩイニシエータにおいて１つ以上のＰＤＵをシェーピングするように動作する第１のステップと、
前記ＱｏＳポリシーン従って前記シェーピングしたＰＤＵをイニシエータにおけるＴＣＰレイヤにおいてマーキングするように動作する第２のステップと、
を実行させるための、コンピュータ・プログラム。